(57)【特許請求の範囲】
【請求項１】
第一送り装置（３）を備え、この送り装置により、
各々第一送り装置（３）に互いに相対した状態で、印刷物（２）の送り方向に対して平行に設けられた第一クランク（１９）および第二クランク（２０）により作動する第一刃物（１４；１４‘）と、第三クランク（２１）および第四クランク（２２）により作動する第二刃物（１５；１５’）とを有する、天と地の部分のために設けられた第一裁断装置（４，４′）の、移送流内で順次間隔をおいて印刷物の平面に対して平行に設けられかつ連続的に送られる印刷物（２）が供給可能であり、および
第一裁断装置（４，４′）の後方に接続され、印刷物（２）の正面部分のために第三および第四刃物（５０，５１）を備えている、第二裁断装置（５）を備え、
この場合、印刷物（２）の平面に対して実質的に垂直な方向で互いに裁断作用をするように運動する第一および第二裁断装置（４，４′，５）の第一〜第四刃物（１４，１５；１４′，１５′；５０，５１）が対になって、クランク駆動部（１７，１７′，１８，１８′，４８，４８′，４９，４９′）と駆動接続している、所定の裁断線に沿って平坦な印刷物（２）を三つの側で裁断する機械装置において、
第二裁断装置（５）の第五クランク（５２）および第六クランク（５３）により作動する第三刃物（５０）と第七クランク（５４）および第八クランク（５５）により作動する第四刃物（５１）のクランク駆動部（４８，４８′，４９，４９′）が各々、第一送り装置（３）の送り方向で、刃物に移送作用を行うように接続し、クランク駆動部（４８，４８′，４９，４９′）と同期して回転し、印刷物（２）を第一送り装置（３）から受け取るグラブ（４２）の両側に設けられていることを特徴とする機械装置。
【請求項２】
回転するグラブ（４２）の両側で、各々第三および第四刃物（５０，５１）に所属するクランク駆動部（４８，４８′，４９，４９′）が、印刷物（２）の送り方向で間隔をおいて設けられた第五〜第八クランク（５２〜５５）を備え、これらのクランクに各々、第三および第四刃物（５０，５１）と接続する操作部材（４４，４５；４６，４７）が端部側で連結していることを特徴とする請求項１記載の機械装置。
【請求項３】
裁断装置（５）の一方の側に所属するクランク駆動部（４８，４８′，４９，４９′）が、各々第五〜第八クランク（５２〜５５）を備え、このクランクが他方の第三および第四刃物（５０，５１）の相対する第五〜第八クランク（５２〜５５）と駆動接続していることを特徴とする請求項２に記載の機械装置。
【請求項４】
第三および第四刃物（５０，５１）の第五および第七クランク（５２，５４）と第六および第八クランク（５３，５５）の間に、第一の駆動接続している駆動輪（２３）が設けられていることを特徴とする請求項３記載の機械装置。
【請求項５】
第一送り装置（３）が、エンドレスに回転するベルトを裁断装置（４，４′）に関して印刷物（２）の相対位置に設定するストッパー（１２）を有し、これ等のストッパーのところで印刷物（２）の先行する端部が装置内に保持されていることを特徴とする請求項１記載の機械装置。
【請求項６】
少なくとも一つの送りチェーン（４１）に固定されたグラブ（４２）により形成された第二送り装置（４０）の前方受渡し端部は第一送り装置（３）の排出端部を越えて延びていることを特徴とする請求項１〜５のいずれか一つに記載の機械装置。
【請求項７】
第三および第四刃物（５０，５１）の一方が、印刷物（２）のための載置面でもって形成されていることを特徴とする請求項１記載の機械装置。
【請求項８】
裁断装置（４，４′，５）の一方の第一〜第四刃物（１４，１５；１４′，１５′；５０，５１）に属する第一および第二と第五および第六クランク（１９，２０；５２，５３）が、裁断作用運動に関して他方の第一〜第四刃物（１４，１５；１４′，１５′；５０，５１）に所属する第三および第四と第七および第八クランク（２１，２２；５４，５５）に比べて遅れて制御されることを特徴とする請求項１記載の機械装置。
【請求項９】
一方の第一〜第四刃物（１４，１５；１４′，１５′）の第一および第二と第五および第六クランク（１９，２０；５２，５３）の追従が、調節可能に構成されていることを特徴とする請求項８に記載の装置。
【請求項１０】
第一〜第四および第五〜第八クランク（１９〜２２；５２〜５５）あるいは第一〜第四刃物（１４，１５；１４′，１５′；５０，５１）および第一送り装置（３）が、接近した領域で印刷物（２）とほぼ同じ速度を有することを特徴とする請求項１記載の機械装置。
【請求項１１】
エンドレスに回転するベルト（３５）で形成された第一送り装置（３）と第二刃物（１５）の上端部が、第一裁断装置（４，４′）の裁断作用の間に、ほぼ同一の送り面を形成することを特徴とする請求項１記載の機械装置。
【請求項１２】
第一送り装置（３）が裁断領域においてベルト（３５）上に支持されて動作する案内装置（３４）を有することを特徴とする請求項１１に記載の機械装置。
【請求項１３】
クランク駆動部（１７，１７′，１８，１８′，４８，４８′，４９，４９′）の第五〜第八クランク（５２〜５５）が、クランク軸（２４〜２７）に相対する一つのバランス錘（７０）に各々連結していることを特徴とする請求項１記載の機械装置。
【請求項１４】
裁断装置の第三および第四刃物（５０，５１）の一方に対向して、印刷物（２）の上に作用する押さえ装置（６５）が設けられていることを特徴とする請求項１記載の機械装置。
【請求項１５】
送り装置に横方向で対向配置された裁断装置（４，４′）が、間隔に関して機械の支持部（６）に連結する案内装置のところで調節可能でかつ固定可能に設けられていることを特徴とする請求項１記載の装置。
【発明の詳細な説明】
【０００１】
【発明の属する技術分野】
この発明は、送り装置を備え、この送り装置により、各々送り装置に互いに相対した状態で、印刷物の送り方向に対して平行に設けられた二つの刃物を有する、天と地の部分のために設けられた第一裁断装置の、移送流内で順次間隔をおいて印刷物の平面に対して平行に設けられかつ連続的に送られる印刷物が供給可能であり、および第一裁断装置の後方に接続され、印刷物の正面部分のために刃物を備えている、第二裁断装置を備え、この場合、印刷物の平面に対して実質的に垂直な方向で互いに裁断作用をするように運動する裁断装置の刃物が対になって、クランク駆動部と駆動接続している、所定の裁断線に沿って平坦な印刷物を三つの側で裁断する機械装置に関する。
【０００２】
【従来の技術】
このような方法は、印刷の後処理、主に雑誌、新聞の製本、パンフレットあるいは小冊子や本のブロックを糊付けあるいは糸綴じした後で使用される。ここでは、それぞれ縁側で天地、および前部分の縁の裁断を前処理する。
【特許文献１】
ドイツ国特許出願公告第１２０６８５１号明細書
【０００３】
【発明が解決しようとする課題】
それ故、この発明の課題は、印刷物を注意して取り扱う場合、装填効率が高く、要求される裁断の仕上がりの良さが目的通り得られる、冒頭に述べた類の所定の裁断線に沿って印刷物を裁断する機械装置を提示することにある。
【０００４】
【課題を解決するための手段】
上記の課題は、この発明により、第二裁断装置の刃物のクランク駆動部が各々、送り装置の送り方向で、刃物に移送作用を行うように接続し、クランク駆動部と同期して回転し、印刷物を送り装置から受け取るグラブの両側に設けられていることによって解決されている。
【０００５】
【実施例】
以下、この発明による機械装置を図面に基づきより詳しく説明する。
図１の模式図には、裁断設備１が示してある。この設備には矢印Ａに従い右側で印刷物２を第一送り装置３により折り目を先頭にして導入される。裁断設備１は、印刷物の送り方向に見て、印刷物２の天地を両側で裁断するための裁断装置４，４′で構成されている。この裁断装置には間隔を置いて続く印刷物２の前側の縁部用の裁断装置５が後続している。裁断設備１で印刷物２を処理するには、第一送り装置３と裁断装置４，４′，５の間でタイミングをとって行われる。
【０００６】
機械の支持部６に組み込まれている裁断設備１は回転数を制御するモータ７で駆動される。このモータ７には、歯車駆動部８と牽引駆動部９が後続している。これ等の駆動部８，９には裁断装置４，４′，５が駆動可能に連結している。図１は、付加的な説明を必要とすることなく、このような駆動可能性を示す。
図２には、ベルト駆動機構１０により直接駆動される裁断装置４，４′が示してあり、また図３により詳しく示してある。
【０００７】
裁断装置４，４′は、図面によれば、印刷物２の天地部分のために形成され、印刷物は回転するベルトから成り、印刷物２に横方向で作用する中心合わせ装置１１により裁断前に所定の裁断線に揃えられ、送り速度に加わる回転するベルト（図示せず）の加速装置１３により、ストッパー１２に対して後ろから、回転する送りチェーンで形成された送り装置３に順次当たる。天地部分の裁断装置４，４′，５は互いに対向している二つの刃物１４，１５（以下第一刃物および第二刃物と呼ぶ）で構成され、両方の刃物の間に散発的な印刷物２が送り装置３により通過できるように駆動される。第一および第二刃物１４，１５は次に説明すべき駆動装置１６により印刷物２の平面にほぼ垂直な裁断作用運動を行い、第一送り装置３の送り方向に平行な裁断方向に配置され、互いに逆向きに案内される第一および第二刃物１４，１５が裁断作用の間に更に印刷物２と共に同じ向きに移動する。
【０００８】
その場合、両方の刃物は細長い刃の形状に形成され、説明したように駆動装置１６により送り方向に平行に往復運動する。
このため、それぞれ第一および第二刃物１４，１５に付属するクランク機構１７と１８が設けてある。
それぞれ一つの刃１４，１５に付属する二つのクランク機構１７，１８は一緒になって裁断装置４，４′の駆動装置１６を形成する。その場合、各クランク機構１７，１８は送り装置３の送り方向に間隔を置いて配置されたクランク１９，２０あるいは２１，２２（以下第一および第二あるいは第三および第四クランクと呼ぶ）を有する。これ等のクランクには、送り方向に平行な裁断方向に配置された第一および第二刃物１４，１５のそれぞれ一つが端部で結合している。
【０００９】
クランク機構１７，１８の同じ形状の振動運動は、第一および第二刃物１４，１５に付属する第一および第二クランク１９，２０あるいは第三および第四クランク２１，２２の等角度の回転運動により生じ、そのために、そして同じ回転方向に、第一および第二クランク１９，２０あるいは第三および第四クランク２１，２２の間に配置された共通の駆動円板２３が設けてある。図示した実施例では、図１と２によりこの駆動円板２３が第一および第二クランク１９，２０に付属している。
【００１０】
図３から分かることは、天地部分の裁断装置４，４′ではクランク機構１７，１８がクランク軸２４〜２７に固定された同じ部分直径と歯数の歯車２８〜３１により形成されている。
図２は、一つの第一刃物１４の第一および第二クランク１９，２０が対向する第二刃物１５の第三および第四クランク２１，２２に対してクランク軸２４，２５あるいは２６，２７に関して異なった回転位置を有する。つまり（下の）第二刃物１５は最高（頂点）位置に達した後、（上の）第一刃物１４が最低（最大の裁断介入）位置に達する。第一刃物１４に付属する第一および第二クランク１９，２０は裁断装置４，４′，５の裁断作用運動に関して追従制御により駆動される。
【００１１】
この追従はクランク２０，２１あるいは１９，２１の相互の捩じれにより歯車２９，３１あるいは２８，３０を用いて可能あるいは設定可能であり、印刷物２と裁断装置の特性に合わせて行われる。
印刷物２に対向する第二および第三クランク１９，２１と第一および第四クランク２０，２２あるいは第一および第二刃物１４，１５および第一送り装置３は近接領域でほぼ同じ速度を有することにより、発生する裁断区間を述べることができ、この裁断区間で裁断作用が行われる。
【００１２】
印刷物２を裁断の直前に送り装置の上に止めておくため、横方向に間隔を置いて配置されているエンドレスの少なくとも二つのベルトで構成された第一送り装置３と、第二刃物１５の上端部が裁断装置４，４′，５の裁断作用の間に大体共通面を形成する。図２は第一刃物１５の上端部が最高位置に到達する前、しかも裁断開始直前に共通面に達し、次いで僅かに持ち上がり逆裁断運動を行うことを示す。この可能性は印刷物を裁断する時、選択可能な状況に裁断装置４，４′，５を合わせることを表している。
【００１３】
更に、図２から第一および第二刃物１４，１５が印刷物２の送り方向に向けて狭くなる裁断間隔３２を形成し、この隙間の楔角度は調節設定装置７１により可変でき、このことは裁断すべき印刷物２の特性に起因していることが分かる。楔状の隙間が平らになればそれだけ印刷物２に作用する裁断と送り効率が高くなる。第一刃物１４の調節可能性に対して、この刃物が第一および第二クランク１９，２０に両端で連結する梁３３に固定されている。この等の梁３３はその長手方向にボルトの嵌まるネジ穴を有し、これ等のネジは刃物１５の垂直なスリットを貫通する。
【００１４】
補強の助けとして、送り装置３の回転するエンドレスのベルト３５が案内装置３４に支持されている。
理解を助けるため、裁断設備１中で一列の連続するロール３６から成る支持装置３７とストッパー送りチェーン３９用の案内装置３８を指摘しておく。
クランク運動により発生する軸受中のアンバランスとそれによる騒音を低減するため、クランク軸２４〜２７で第一〜第四クランク１９〜２２に対向する側で相殺するバランス錘７０が固定されている。
【００１５】
異なった印刷物の形式の天地部分のためにある送り方向に垂直な間隔に対して裁断装置４，４′を調整できる可能性の必要性は図面で見えにくい。これに対して、送り方向に垂直に機械のスタンドと共に働く案内装置が設けてあり、この案内装置のところに裁断装置４，４′は、例えばスピンドル駆動部により個々にあるいは共通に調節固定できる。
【００１６】
主にタイミングをとって行われるが、必ずしもそうではない移行は、送り方向に裁断装置４，４′を越えている送り装置３と、回転送りチェーン４１に等間隔で制御装置により制御可能なグラブ４２が固定され、排出端部で前記送り装置と協働する第二送り装置４０を引き受ける。配置方法と第二送り装置４０との第一送り装置３の協働は図１と５から読み取れる。裁断設備１の垂直な長手中心面にほぼ延びる第二送り装置４０の駆動は牽引駆動部９から与えられる。印刷物２は第一送り装置３により第一送り装置３の受渡し領域あるいは排出位置で予め折り畳んで開いているグラブ４２に押し出されるか、導入される。これ等のグラブ４２は、印刷物２を送る場合、制御装置から導入され、バネ力により閉ざされる。次いで、印刷物２は裁断装置５の裁断作用領域で止まる案内皿４３上で裁断装置を通過移動するか貫通して引き出される。
【００１７】
裁断装置４，４′に続く裁断装置５は、第一および第二刃物５０，５１が送り装置３の送り方向に垂直な裁断方向に配置されている点で最初の裁断装置とは異なっている。即ち、印刷物２の送り通路のそれぞれの側に再び協働する二つのクランク駆動部４８，４９あるいは４８′，４９′が設けてあり、これ等のクランク駆動部は対向する駆動部４８，４９あるいは４８′，４９′と共に第一および第二刃物５０，５１により接続されている。その場合、第一および第二刃物５０，５１は送り方向に間隔をおいて配置された駆動部４８，４９あるいは４８′，４９′のクランクに端部側で連結する操作部材４４〜４７に固定されている。
【００１８】
印刷物２の天地部分用のクランク駆動部１７，１８あるいは１７′，１８′が同じように連動する場合、第一〜第四クランク１９〜２２の異なっている角度位置とは逆に、第五〜第八クランク５２〜５５の角度はクランク軸５６〜５９で印刷物２に対してほぼ対にして対称に対向するように向けてあるので、第三および第四刃物５０，５１は送り方向に垂直に延びる裁断面を形成し、裁断作用は送り方向に平行となる裁断区間上で行われる。この裁断区間上では、印刷物２が第三および第四刃物５０，５１と少なくとも近似的に同じ速さで移動する。これ等の刃物５０，５１はその垂直裁断位置の回転運動の間に変化しない。
【００１９】
第三および第四刃物５０，５１を収納する横梁６４，ここでは下部横梁により、裁断時の印刷物の載置部を形成する。印刷物２を安定にするため、図３により少なくとも裁断区間を越えて延び、印刷物２を梁３３の上側に対して押圧する押さえ部６５に送り方向に並列する多数の押圧ローラがある。これ等の押圧ローラは、例えば印刷物２の上でバネ力貯蔵部７２に対して押圧される。
【００２０】
裁断装置５の駆動は駆動ピニオン６０を介して導入され、中間歯車６１は第五および第六クランク５２，５３あるいは５２′，５３′を同じ方向に回転させるためにあり、送り装置４０の対向側の第七および第八クランク５４，５５あるいは５４′，５５′で反対向きに回転させる。第二送り装置４０は図５により垂直の長手中心面の横方向に延びる二つの送りチェーン４１で構成され、これ等の送りチェーン４１はグラブ４２を担持する横向きの間隔保持体６２により接続されている。裁断装置の裁断領域の外に配置されている送りチェーン４１は固定案内ウェブ６３に支持されている。
【００２１】
図６は閉じた位置でのグラブ４２の実施例を示す。このグラブでは、可動グラブ部分６６が送りチェーン４１に連結する固定ブラブ部分６７に対して押圧される。グラブ４２を閉じるにはバネ力により行われる。制御軌道を移動する二重レバー６８によりバネ力に逆らってグラブ４２を少し持ち上げる。
図１に示すような裁断装置４，４′，５の配置方式の代わりに、図７により印刷物に関する天地部分と前部分用の裁断装置の他の配置がある。基本的には、図７の裁断設備１の場合、裁断ステーションないし裁断装置を印刷物２の送り方向に対して直角に配置している。その場合、裁断ステーションの間で印刷物２を天地部分に対して 90 °ほど変わった送り方向に移動させる偏向装置６９が配置されている。この偏向装置６９は周囲に固定されたグラブを備えた回転担持部材として形成されている。これ等のグラブには印刷物が天地部分に従って送り装置３により導入され、偏向後、続く前部分の第二送り装置４０に排出される（図１〜６に示してあるように）あるいは、グラブを備えた担持部材の代わりに、偏向ロールを使用する。この偏向ロールによりエンドレスの送りチェーンに固定されたグラブが前部分の後続する裁断装置に導入される。
【００２２】
このような実施例は、印刷物２の前部分に対して、印刷物の天地部分に対して使用するものと同じ裁断装置を同じ配置様式にして使用できると有利である。
【００２３】
【発明の効果】
以上、説明したように、この発明による裁断装置の利点は、印刷物を注意して取り扱う場合、装填効率が高く、要求される裁断の仕上がりの良さが目的通り得られる。
【図面の簡単な説明】
【図１】  印刷物用の裁断設備の模式側面図である。
【図２】  図１の裁断設備の導入側の第一裁断装置の要部の拡大側面図である。
【図３】  図２の切断線 III− IIIから見た第一裁断装置の断面図である。
【図４】  図１の裁断設備の第二裁断装置の要部の拡大側面図である。
【図５】  図４の切断線から見た裁断設備の第二裁断装置の断面図である。
【図６】  グラブの側面図である。
【符号の説明】
１                裁断設備
２                印刷物
３                送り装置
４，４′，５      裁断装置
６                機械の支持部
７                モータ
８                歯車
９                牽引駆動部
１０                ベルト駆動機構
１１                中心合わせ装置
１２                ストッパー
１３                加速装置
１４，１５          刃物
１６                駆動装置
１７，１８，１７′，１８′        クランク駆動部
１９〜２２          クランク
２４〜２７          クランク軸
３２                裁断隙間
３３                梁
３５                ベルト
３６                ロール
３７                支持装置
３８                案内装置
３９                当たり送りチェーン
４０                送り装置
４１                送りチェーン
４２                グラブ
４３                案内皿
４４〜４７          操作部材
４８，４９，４８′，４９′        クランク駆動部
５０，５１          刃物
５２〜５５          クランク
５６〜５９          クランク軸
６０                駆動ピニオン
６１                中間歯車
６２                間隔保持部
６３                案内ウェブ
６４                横梁
６５                押さえ装置
６６，６７          グラブ部品
６８                二重レバー
６９                偏向装置
７０                バランス錘
７１                設定装置
７２                バネ力貯蔵部
【図１】
0003977447.tif 000002
【図２】
0003977447.tif 000003
【図３】
0003977447.tif 000004
【図４】
0003977447.tif 000005
【図５】
0003977447.tif 000006
【図６】
0003977447.tif 000007
【図７】
0003977447.tif 000008